(57)【要約】      （修正有）【課題】集約印刷を行う場合、例えば表紙等の特定ページを集約の対象から外し、特定ページが見づらくなるのを解消する。【解決手段】複数ページを数ページ毎に同一ページに集約するコントロール部１０１５と、特定ページを指定して集約の対象から外すユーザインターフェースと、を有し、コントロール部１０１５は、特定ページの印刷方向と集約されたページの印刷方向とが一致しない場合には、特定ページを縮小且つ回転し、集約されたページの出力方向と一致させる。【選択図】図１
2014064253.tif 000002
【特許請求の範囲】
【請求項１】
複数ページを数ページ毎に同一ページに集約する制御部と、
特定ページを指定して前記集約の対象から外す指定部と
を有し、
前記制御部は、
前記特定ページの出力方向と前記集約されたページの出力方向とが一致しない場合には、前記特定ページを縮小且つ回転し、前記集約されたページの出力方向と一致させることを特徴とする画像処理装置。
【請求項２】
前記指定部は、前記複数ページのうち表紙を前記特定ページとして指定し、
前記制御部は、前記特定ページを１つのページ毎に出力する
ことを特徴とする請求項１記載の画像処理装置。
【請求項３】
前記指定部は、前記複数ページのうち最初のページを前記特定ページとして指定し、
前記制御部は、前記特定ページを１つのページ毎に出力する
ことを特徴とする請求項１記載の画像処理装置。
【請求項４】
前記指定部は、前記複数ページのうち章を表示するページを前記特定ページとして指定し、
前記制御部は、前記章を表示するページを１ページ毎に出力する
ことを特徴とする請求項１記載の画像処理装置。
【請求項５】
前記制御部は、出力先の短辺の長さと前記特定ページの長辺の長さの比較に基づいて、前記特定ページを縮小することを特徴とする請求項１乃至４の何れか１項記載の画像処理装置。
【請求項６】
前記制御部は、前記特定ページを出力先の略中央に配置することを特徴とする請求項１乃至５の何れか１項記載の画像処理装置。
【請求項７】
前記特定ページを縮小するときの縮尺は、集約するページの縮尺以上であることを特徴とする請求項１乃至６の何れか１項記載の画像処理装置。
【請求項８】
前記複数のページを４ページ毎以上のページ毎に集約するとき、
前記特定ページを縮小するときの縮尺は、集約するページの縮尺よりも大きいことを特徴とする請求項７記載の画像処理装置。
【請求項９】
複数ページを数ページ毎に同一ページに集約することを指定する第１のステップと、
特定ページを前記集約の対象から外す第２のステップと、
前記特定ページの出力方向と前記集約されたページの出力向きとが一致しない場合には、前記特定ページを縮小且つ回転し、前記集約されたページの出力方向と一致させる第３のステップと
を有することを特徴とする画像処理方法。
【請求項１０】
前記第３のステップにおいて、出力先の短辺の長さと前記特定ページの長辺の長さの比較に基づいて、前記特定ページを縮小することを特徴とする請求項９項記載の画像処理方法。
【請求項１１】
前記第３のステップにおいて、前記特定ページを出力先の略中央に配置することを特徴とする請求項９又は１０記載の画像処理方法。
【請求項１２】
前記第２のステップにおいて、前記複数ページのうち表紙を前記特定ページとし、前記集約の対象から外すことを特徴とする請求項９乃至１１の何れか１項記載の画像処理方法。
【請求項１３】
前記第２のステップにおいて、前記複数のページのうち最初の１ページ目を前記特定ページとし、前記集約の対象から外すことを特徴とする請求項９乃至１１の何れか１項記載の画像処理方法。
【請求項１４】
前記第２のステップにおいて、前記複数のページのうち章を表示するページを前記特定ページとし、前記集約の対象から外すことを特徴とする請求項９乃至１１の何れか１項記載の画像処理方法。
【請求項１５】
前記第３のステップにおいて、前記特定ページを縮小するときの縮尺は、集約するページの縮尺以上であることを特徴とする請求項９乃至１４の何れか１項記載の画像処理方法。
【請求項１６】
前記第３のステップにおいて、前記複数のページを４ページ毎以上のページ毎に集約するとき、
前記特定ページを縮小するときの縮尺は、集約するページの縮尺よりも大きいことを特徴とする請求項１５記載の画像処理方法。
【発明の詳細な説明】
【技術分野】
【０００１】
本発明は、画像処理装置及び画像処理方法に関し、特に複数ページ分を記録用紙の一面に記録するアップ印刷が可能な画像形成装置及びその画像処理方法に関する。
【背景技術】
【０００２】
従来、画像形成装置において、複数ページ分の文書を１つのページに集約する、いわゆる「集約」機能を有するものが知られている（例えば、特許文献１参照）。
【先行技術文献】
【特許文献】
【０００３】
【特許文献１】特開２００８−２２１４９８号公報（第９頁、図１１，１２）
【発明の概要】
【発明が解決しようとする課題】
【０００４】
しかしながら、従来の技術によると、処理の対象となる文書が、ユーザーが必要以上の縮小を所望しない特定頁と所定の縮小を所望する本文頁とが混在する場合にも、すべての頁が本文頁と同じように集約されてしまうため、特定頁が必要以上に縮小されて見づらくなってしまうなど、不都合な場合がある。
【課題を解決するための手段】
【０００５】
本発明による画像処理装置は、
複数ページを数ページ毎に同一ページに集約する制御部と、特定ページを指定して前記集約の対象から外す指定部とを有し、
前記制御部は、前記特定ページの出力方向と前記集約されたページの出力方向とが一致しない場合には、前記特定ページを縮小且つ回転し、前記集約されたページの出力方向と一致させることを特徴とする。
【０００６】
本発明による画像処理方法は、
複数ページを数ページ毎に同一ページに集約することを指定する第１のステップと、特定ページを前記集約の対象から外す第２のステップと、前記特定ページの出力方向と前記集約されたページの出力向きとが一致しない場合には、前記特定ページを縮小且つ回転し、前記集約されたページの出力方向と一致させる第３のステップと
を有することを特徴とする。
【発明の効果】
【０００７】
本発明によれば、特定ページを集約の対象から外し、必要に応じて回転及び縮小してその出力方向を、集約による出力方向と一致させるため、特定ページが、集約により或いは出力方向が異なるため、見難くなるのを解消できる。
【図面の簡単な説明】
【０００８】
【図１】本発明による実施の形態１の画像処理装置を備えたシステムの、要部構成を説明するためのシステム構成図である。
【図２】図１に示す記憶部の内部構成を示すブロック図である。
【図３】図１に示すコントロール部の内部構成を示すブロック図である。
【図４】実施の形態１において、ＰＣの、プリンタドライバによって表示部に表示されるユーザインターフェースの一例を示す表示画面である。
【図５】実施の形態１において、Ｎ−Ｕｐ集約を行う、表紙と本文とから構成される縦向きに形成された全７ページのドキュメントの構成例を示す図である。
【図６】印刷方向の説明に供する図であり、（ａ）は縦向き印刷の例を、（ｂ）は横向き印刷の例を示す。
【図７】実施の形態１において、作成されたページデータを基に、コントロール部が行う集約処理の流れを示すフローチャートである。
【図８】実施の形態１において、２−Ｕｐ印刷のレイアウトを説明するための説明図である。
【図９】実施の形態１において、４−Ｕｐ印刷のレイアウトを説明するための説明図である。
【図１０】（ａ）は、実施の形態１において、６−Ｕｐ印刷のレイアウトを説明するための説明図であり、（ｂ）は、実施の形態１において、８−Ｕｐ印刷のレイアウトを説明するための説明図である。
【図１１】実施の形態１において、９−Ｕｐ印刷のレイアウトを説明するための説明図である。
【図１２】実施の形態１において、１６−Ｕｐ印刷のレイアウトを説明するための説明図である。
【図１３】実施の形態１において、Ｎ−Ｕｐ集約を行う、表紙と本文とから構成される横向きに形成された全７ページのドキュメントの構成例を示す図である。
【図１４】実施の形態１において、２−Ｕｐ印刷のレイアウトを説明するための説明図である。
【図１５】実施の形態１において、４−Ｕｐ印刷のレイアウトを説明するための説明図である。
【図１６】実施の形態１において、６−Ｕｐ印刷のレイアウトを説明するための説明図である。
【図１７】実施の形態１において、８−Ｕｐ印刷のレイアウトを説明するための説明図である。
【図１８】実施の形態１において、９−Ｕｐ印刷のレイアウトを説明するための説明図である。
【図１９】実施の形態１において、１６−Ｕｐ印刷のレイアウトを説明するための説明図である。
【図２０】実施の形態１において、２−Ｕｐ印刷のレイアウトを説明するための説明図であり、表紙と本文の印刷向きが異なる例を示している。
【図２１】本発明に基づく実施の形態２の画像処理装置としてのＰＣが表示部に表示するユーザインターフェースの一例を示す表示画面である。
【図２２】実施の形態２において、６−Ｕｐ印刷のレイアウトを説明するための説明図であり、表紙の出力画面がセンタリングされている状態を示す。
【図２３】実施の形態２において、コントロール部が行う集約処理の流れを示すフローチャートである。
【図２４】本発明に基づく実施の形態３の画像処理装置としてのＰＣが表示部に表示するユーザインターフェースの一例を示す表示画面である。
【図２５】実施の形態３において、表示部に表示される、全７ページのドキュメントとチェックボックスを有する表示画面の構成例を示す図である。
【図２６】実施の形態３において、２−Ｕｐ印刷のレイアウトを説明するための説明図であり、回転及び縮小された、表紙及び章を表示するページの出力画面が、センタリングされている状態を示す。
【発明を実施するための形態】
【０００９】
実施の形態１．
図１は、本発明の画像処理装置を備えたシステムの、本発明にかかわる要部構成を説明するためのシステム構成図である。同図に示すように、このシステムでは、画像処理装置としてのＰＣ１００１と画像形成装置１００２とがＬＡＮケーブル１２０１で接続している。ここで、接続方法は、ＬＡＮケーブルに限定されず、ＵＳＢ等の接続方法を用いてもよい。
【００１０】
ＰＣ１００１は、メモリやハードディスクからなる記憶部１０１１、ディスプレイ装置からなる表示部１０１２、ＣＰＵからなるコントロール部１０１５、キーボードやマウスからなる入力部１０１３、及びイーサネットポートやＵＳＢポートからなる通信部１０１４により構成される。
【００１１】
図２は、記憶部１０１１の内部構成を示すブロック図であり、図３は、コントロール部１０１５の内部構成を示すブロック図である。
【００１２】
図２に示すように、記憶部１０１１は、アプリケーションやプリンタドライバ１０１１ａをプログラムとして有し、プリンタドライバ１０１１ａは、後述するように特定ページを集約の対象から外すための指定部としてのユーザインターフェース１０１１ｕを有する。また、記憶部１０１１は、データ１０１１ｄを記憶することもできる。データ１０１１ｄとして、ドキュメント（図５、図１３、図２５等で示すドキュメントデータ）を予め記憶してもよいし、印刷データ生成部１０１５ａによって生成されたファイルデータ（図８〜図１１、図１４〜図１９、図２６等のデータ）を記憶するようにしても良い。
【００１３】
尚、ここで「集約」とは、前記したようにＮページ分（Ｎは２以上の整数）のドキュメントを１つのページに集約することをいう。また、Ｎページ分を１つのページにまとめて集約してレイアウトできるようにする場合、Ｎ−Ｕｐと称し、ＮをＵｐ数とする場合がある。またここでいうドキュメントとは、集約の対象となる一連のページデータとする。
【００１４】
図３は、プログラムとしてのアプリケーションやプリンタドライバ１０１１ａを実行して、表示部１０１２にユーザインターフェース１０１１ｕ（図４）をダイアログボックスとして表示するコントロール部１０１５の一部の機能を、便宜上、機能別にブロック化したブロック図である。
【００１５】
制御部としてのコントロール部１０１５は、印刷データ生成部１０１５ａと判断部１０１５ｄを有する。判断部１０１５ｄは、後述するように、印刷データ生成部１０１５ａが生成するファイルデータにおいて、例えば図５に示すドキュメント１０の特定ページとしての表紙１００を９０度回転しないと、表紙の印刷向きと本文の印刷向きとが一致しないか、或いは９０度回転しなくても、表紙の印刷向きと本文の印刷向きとが一致するか、によって表紙の回転要否を判断する。印刷データ生成部１０１５ａは、例えば図５に示すドキュメント１０の本文１０１〜１０６をＮ−Ｕｐに集約したデータを生成するための集約部１０１５ｂと、回転部１０１５ｃとを有する。
【００１６】
回転部１０１５ｃは、判断部１０１５ｄによる表紙の回転要否の判断に基づいて、表紙の印刷向きと本文の印刷向きとを一致させるために回転が必要な場合には、表紙を最低限の縮小率で縮小して９０度回転した印刷データを生成し、９０度回転しなくても、表紙の印刷向きと本文の印刷向きとが一致する場合は、表紙の回転及び縮小を行わない表紙の印刷データを生成する。このように、印刷データ生成部１０１５ａは、ユーザインターフェース１０１１ｕでのユーザーの指定に伴う、判断部１０１５ｄによる表紙の回転要否の判断に基づいて、回転部１０１５ｃと集約部１０１５ｂによって１つのファイルデータを生成し、記憶部１０１１や通信部１０１４に出力する。
【００１７】
表示部１０１２は、ユーザインターフェース１０１１ｕ（図４参照）を表示し、ユーザーは、これを確認しながら、入力部１０１３を用いて、目的の設定をプログラムに通知する。通信部１０１４は、他の構成機器、ここでは画像形成装置１００２とＬＡＮケーブル１２０１を介して接続しており、互いに通信を行う。
【００１８】
画像形成装置１００２は、ＣＰＵからなるコントロール部１０２１、イーサネットポートからなる通信部１０２２、メモリやハードディスクからなる記憶部１０２３、及び媒体への印刷を行う印刷部１０２４により構成される。
【００１９】
図４は、ＰＣ１００１の、プリンタドライバ１０１１ａによって表示部１０１２に表示されるユーザインターフェース１０１１ｕの一例を示す表示画面である。同図に示すように、このユーザインターフェース１０１１ｕには、用紙サイズを選択する用紙サイズ指定部１０３２、給紙箇所を指定する給紙指定部１０３３、集約時のレイアウトを決めるＵｐ数Ｎを指定するマルチページ指定部１０３４、Ｎ−Ｕｐ集約するとき、特定ページとしての表紙を集約から除外するか否かを指定する表紙除外指定部１０３５、両面印刷を指定する両面印刷指定部１０３６、及びカラー印刷かモノクロ印刷かを選択するカラー印刷指定部１０３７等を備える。これらの各設定部の設定項目は、ユーザーがこれらの画面を参照しながら入力部１０１３を操作して行う一般的な方法によって設定する。
【００２０】
プレビュー表示部１０３１は、指定部１０３４〜１０３７によって指定された設定値に基づく印刷時の簡易イメージを表示し、印刷向き表示部１０３８は、後述するように例えばユーザーが指定するＵｐ数Ｎに応じて、自動的に「縦」或いは「横」を表示する。
【００２１】
図５は、本実施の形態でＮ−Ｕｐ集約を行う、表紙と本文とから構成される全７ページのドキュメント１０の構成例を示す。同図に示すように、このドキュメント１０は、そのページの向きが縦向きに形成されている場合の例を示す。ここでいう縦向きに形成されたドキュメントとは、ドキュメント１０を見るに相応しい向きに配置したとき、ドキュメント１０の左右の辺が長辺ｘ１，ｘ２となり、上下の辺が短辺ｙ１，ｙ２となるように形成されたドキュメントをいう。図５に示すドキュメント１０の場合、左側の長辺をｘ１、右側の長辺をｘ２、上側の短辺をｙ１、下側の短辺をｙ２としている。
【００２２】
またここで、媒体としての記録用紙にドキュメントを印刷したときの出力方向としての印刷向きについて説明する。ここでは、図６に示すように印刷された記録用紙２００を、印刷された文字２０１を、読み取るのに相応しい方向に配置した時、図６（ａ）に示すように印刷された記録用紙２００の左右の辺が長辺２０２、上下の辺が短辺２０３であるときの印刷向きを縦向きとし、逆に、印刷された記録用紙２００を、印刷された文字２０１を、読み取るのに相応しい方向に配置した時、図６（ｂ）に示すように印刷された記録用紙２００の左右の辺が短辺２０３、上下の辺が長辺２０２であるときの印刷向きを横向きとする。
【００２３】
次に、印刷媒体としての記録用紙の形状について説明する。ここで想定する記録用紙は、「ルート長方形」で形成されているものとする。「ルート長方形」とは、縦横比率が「白銀比」とよばれる、
短辺：長辺＝１：√２
の関係になっている。これによりどこまで半分にしても相似形の長方形となる。これは国際規格サイズとなっており、例えば、
・Ａ０用紙は８４１ｍｍ×１１８９ｍｍ、
・Ａ１用紙は５９４ｍｍ×８４１ｍｍ、
・Ａ２用紙は４２０ｍｍ×５９４ｍｍ、
・Ａ３用紙は２９７ｍｍ×４２０ｍｍ、
・Ａ４用紙は２１０ｍｍ×２９７ｍｍ、
：
となっている。従って、例えばＡ０→Ａ１、Ａ１→Ａ２、Ａ２→Ａ３、Ａ３→Ａ４と、用紙を半分（面積）にして用紙サイズを下げるとき、各サイズの外形は、相似形を保ったまま、短辺、長辺の各辺がそれぞれ１／√２だけ短くなる。
【００２４】
この記録用紙の印刷面に、Ｎページ分のドキュメントを集約して印刷できるようにするＮ−Ｕｐ印刷を行う場合、各ページの１辺の長さを適宜縮小する必要がある。次式の「縮尺」とは、この時の各ページの１辺の長さの縮小率を示し、後述するように、例えば、Ｎ＝１であればｎ＝１、Ｎ＝２であればｎ＝２、Ｎ＝４であればｎ＝４、Ｎ＝６、８、であればｎ＝８、Ｎ＝９であればｎ＝９、Ｎ＝１６であればｎ＝１６としたとき、
縮尺（％）＝１００×（１／√ｎ）・・・（１）
で表される。
【００２５】
以上の構成において、本実施の形態のＰＣ１００１の動作について説明する。
【００２６】
先ず、印刷実行者であるユーザーによって所望するドキュメントの印刷が指示されると、プリンタドライバ１０１１ａに、ページの識別が可能なデータが渡される。プリンタドライバ１０１１ａは、このデータとユーザーが指定した印刷設定に従って、印刷するページデータを作成する。このとき、プリンタドライバ１０１１ａは、図４に示すユーザインターフェース１０１１ｕをダイアログボックスとして表示部１０１２に表示し、ユーザーは、このダイアログから印刷ジョブに対する印刷設定を行う。
【００２７】
図７は、作成されたページデータを基に、コントロール部１０１５が行う集約処理の流れを示すフローチャートであり、このフローチャートを参照しながら、その処理内容について以下に説明する。
【００２８】
コントロール部１０１５は、ユーザーが指定した集約印刷の状態を確認する（ステップＳ１０１）。ユーザーは、この集約印刷を指定する際に、図４に示すダイアログのマルチページ指定部１０３４を操作し、例えば、操作によって表示される、１−Ｕｐ（指定なしに相当）〜１６−Ｕｐまでの中から所望のＵｐ数Ｎを選択する。図４では６−Ｕｐが選択された例を示している。集約印刷の指定がない場合（ステップＳ１０１、Ｎｏ）、通常の１枚１ページの印刷データを作成する（ステップＳ１０７）。
【００２９】
例えば、図４に示すように６−Ｕｐが選択されて集約印刷の指定がある場合（ステップＳ１０１、Ｙｅｓ）、処理を行うドキュメントのページ番号を確認する（ステップＳ１０２）。表紙（１ページ目）以外のページの場合（ステップＳ１０２、Ｎｏ）、ユーザーが集約に指定した値（Ｕｐ数Ｎ）に応じた縮尺（縮小率）を設定し（ステップＳ１０４）、この縮小率で縮尺した集約印刷データを作成する（ステップＳ１０７）。例えば、Ａ４のページを６−Ｕｐで印刷する場合、縮尺率は、前記した縮尺を算出する式（１）において、ｎ＝８を代入して得られ、概ね３５％程度となる。
【００３０】
処理するページが表紙（ページ番号１）であった場合（ステップＳ１０２、Ｙｅｓ）、表紙が集約印刷の対象となっているかを確認する（ステップＳ１０３）。ユーザーは、表紙に関する指定を行う場合、図４に示すダイアログの表紙除外指定部１０３５を操作し、指定する場合にはそのチェックボックスにチェックを付す。図４ではチェックボックスがチェックされ、表紙を除外する場合の例を示している。
【００３１】
表紙を集約印刷の対象としている場合（ステップＳ１０３、Ｎｏ）、ユーザーが集約に指定した値に応じた縮尺を設定し（ステップＳ１０４）、この縮尺率で縮尺した集約印刷のデータを作成する（ステップＳ１０７）。ここで例えば前記したように６−Ｕｐで印刷する場合、縮尺率を概ね３５％程度として、表紙と本文とを区別なく、同じページに配置する集約印刷の印刷データを作成する（ステップＳ１０７）。
【００３２】
表紙を集約印刷の対象としていない場合（ステップＳ１０３、Ｙｅｓ）、後述するように、印刷を行うドキュメントのページの向きとマルチページ指定部１０３４で指定したＵｐ数とから、印刷時の印刷向きを確定して図４に示すダイアログの印刷向き表示部１０３８の欄に表示する（ステップＳ１０５）。前記した判断部１０１５ｄの判断により、表紙を回転させる必要のない場合（ステップＳ１０５、Ｎｏ）、縮小せずに１枚１ページの印刷データとして表紙の印刷データを作成する（ステップＳ１０７）。一方、前記した判断部１０１５ｄの判断により、表紙を回転させる必要がある場合（ステップＳ１０５、Ｙｅｓ）、表紙を回転させて後述するようにページの長辺が記録用紙の短編に収まるように縮小し（ステップＳ１０６）、１枚１ページの印刷データとして表紙を作成する（ステップＳ１０７）。
【００３３】
ＰＣ１００１は、ドキュメントに対する全ての印刷データの作成が完了すると、これらの一連の印刷データを１つのファイルデータとして通信部１０１４を通じて画像形成装置１００２に送信し、画像形成装置１００２では、通信部１０２２を通じてファイルデータを受信し、ユーザーによって指定されたレイアウトでの集約印刷を実行する。
【００３４】
ここで、ドキュメントのページの向き、マルチページ指定部１０３４で指定したＵｐ数、印刷を行う記録用紙の印刷向き、及び表紙の回転の必要性の有無の関係について更に説明する。
【００３５】
先ず、図５に示すように、ページの向きが縦向きに形成されたドキュメント１０を集約印刷する場合について説明する。
【００３６】
２−Ｕｐの場合、図４において、ドキュメント１０（図５）のマルチページ指定部１０３４において２−ＵＰを指定し、表紙除外指定部１０３５において表紙に対しては集約しないようにチェックを付す。この２−Ｕｐ印刷では、ドキュメント１０の本文１０１〜１０６が横向き印刷となるため、印刷向き表示部１０３８に、横向きの「横」が表示される。図８は、このときの２−Ｕｐ印刷のレイアウトを説明するための説明図であり、印刷データ生成部１０１５ａによってファイル出力され、画像形成装置１００２で記録用紙に印刷される印刷画面に相当する。同図に示すように、２−Ｕｐ印刷では、１ページの記録用紙に対して、ドキュメント１０の本文１０１〜１０６を所定量圧縮して２ページ分ずつ横向きに印刷する。
【００３７】
一方、表紙は、縦向きに形成された表紙１００（図５）をそのまま印刷すると、横向きに２−Ｕｐ印刷された本文に対応する出力画面２０１〜２０６と印刷向きが９０°異なることになる。図２０は、表紙が、縦向きに形成された表紙１００をそのまま印刷した場合の例を示している。このため、コントロール部１０１５は、ドキュメント１０の表紙１００の向きを９０度回転させ、印刷向きを縦方向から横方向へとする。このとき、ドキュメント１０の表紙１００の長辺が、用紙サイズ指定部１０３２で指定された出力先としての記録用紙（ここではＡ４）の短辺に収まるように縮小した出力画面２００となる印刷データを作成する。本実施の形態では、表紙１００の印刷データの縮尺を約７０パーセントとした。また、２−Ｕｐとしたときのドキュメントの本文１０１〜１０６の縮尺は上式（１）の演算により約７０パーセントとした。
【００３８】
４−Ｕｐの場合、図４において、ドキュメント１０（図５）のマルチページ指定部１０３４において４−ＵＰを指定し、表紙除外指定部１０３５において表紙に対しては集約しないようにチェックを付す。この４−Ｕｐ印刷では、ドキュメント１０の本文１０１〜１０６が縦向き印刷となるため、印刷向き表示部１０３８に、横向きの「縦」が表示される。図９は、このときの４−Ｕｐ印刷のレイアウトを説明するための説明図であり、印刷データ生成部１０１５ａによってファイル出力され、画像形成装置１００２で記録用紙に印刷される印刷画面に相当する。同図に示すように、４−Ｕｐ印刷では、１ページの記録用紙に対して、ドキュメント１０の本文１０１〜１０６を所定量圧縮して４ページ分ずつ（ここでは４ページ分と２ページ分に分けられる）縦向き印刷する。
【００３９】
一方、表紙は、縦向きに形成された表紙１００（図５）をそのまま印刷すると、縦向きに４−Ｕｐ印刷された本文に対応する出力画面２０１〜２０６と印刷向きが一致する。このため、コントロール部１０１５は、ドキュメント１０の表紙１００の向き及び尺度を変えない出力画面２００（図９）となる印刷データを作成する。本実施の形態では、４−Ｕｐとしたときのドキュメントの本文１０１〜１０６の縮尺は上式（１）の演算により約５０パーセントとした。
【００４０】
６−Ｕｐの場合、図４において、ドキュメント１０（図５）のマルチページ指定部１０３４において６−ＵＰを指定し、表紙除外指定部１０３５において表紙に対しては集約しないようにチェックを付す。この６−Ｕｐ印刷では、ドキュメント１０の本文１０１〜１０６が横向き印刷となるため、印刷向き表示部１０３８に、横向きの「横」が表示される。図１０（ａ）は、このときの６−Ｕｐ印刷のレイアウトを説明するための説明図であり、印刷データ生成部１０１５ａによってファイル出力され、画像形成装置１００２で記録用紙に印刷される印刷画面に相当する。同図に示すように、６−Ｕｐ印刷では、１ページの記録用紙に対して、ドキュメント１０の本文１０１〜１０６を所定量圧縮して６ページ分ずつ横向き印刷する。
【００４１】
一方、表紙は、縦向きに形成された表紙１００（図５）をそのまま印刷すると、横向きに６−Ｕｐ印刷された本文に対応する出力画面２０１〜２０６と印刷向きが９０°異なることになる。このため、コントロール部１０１５は、ドキュメント１０の表紙１００の向きを９０度回転させ、印刷向きを縦方向から横方向へとする。このとき、表紙１００の長辺が、用紙サイズ指定部１０３２で指定された記録用紙（ここではＡ４）の短辺に収まるように縮小した出力画面２００となる印刷データを作成する。本実施の形態では、表紙１００の印刷データの縮尺を約７０パーセントとした。また、６−Ｕｐとしたときの本文１０１〜１０６の縮尺は上式（１）の演算により約３５パーセントとした。
【００４２】
８−Ｕｐの場合、図４において、ドキュメント１０（図５）のマルチページ指定部１０３４において８−ＵＰを指定し、表紙除外指定部１０３５において表紙に対しては集約しないようにチェックを付す。この８−Ｕｐ印刷では、ドキュメント１０の本文１０１〜１０６が横向き印刷となるため、印刷向き表示部１０３８に、横向きの「横」が表示される。図１０（ｂ）は、このときの８−Ｕｐ印刷のレイアウトを説明するための説明図であり、印刷データ生成部１０１５ａによってファイル出力され、画像形成装置１００２で記録用紙に印刷される印刷画面に相当する。同図に示すように、８−Ｕｐ印刷では、１ページの記録用紙に対して、ドキュメント１０の本文１０１〜１０６を所定量圧縮して８ページ分ずつ（ここでは６ページ分のみ）横向き印刷する。一方、表紙は、６−Ｕｐ印刷の場合と同様のため、ここでの説明は省略する。
【００４３】
９−Ｕｐの場合、図４において、ドキュメント１０（図５）のマルチページ指定部１０３４において９−ＵＰを指定し、表紙除外指定部１０３５において表紙に対しては集約しないようにチェックを付す。この９−Ｕｐ印刷では、ドキュメント１０の本文１０１〜１０６が縦向き印刷となるため、印刷向き表示部１０３８に、縦向きの「縦」が表示される。図１１は、このときの９−Ｕｐ印刷のレイアウトを説明するための説明図であり、印刷データ生成部１０１５ａによってファイル出力され、画像形成装置１００２で記録用紙に印刷される印刷画面に相当する。同図に示すように、９−Ｕｐ印刷では、１ページの記録用紙に対して、ドキュメント１０の本文１０１〜１０６を所定量圧縮して９ページ分ずつ（ここでは６ページ分のみ）縦向き印刷する。
【００４４】
一方、表紙は、縦向きに形成された表紙１００（図５）をそのまま印刷すると、縦向きに９−Ｕｐ印刷された本文に対応する出力画面２０１〜２０６と印刷向きが一致する。このため、コントロール部１０１５は、ドキュメント１０の表紙１００の向き及び尺度を変えない出力画面２００（図１１）となる印刷データを作成する。本実施の形態では、９−Ｕｐとしたときの本文１０１〜１０６の縮尺は上式（１）の演算により約３３パーセントとした。
【００４５】
１６−Ｕｐの場合、図４において、ドキュメント１０（図５）のマルチページ指定部１０３４において１６−ＵＰを指定し、表紙除外指定部１０３５において表紙に対しては集約しないようにチェックを付す。この１６−Ｕｐ印刷では、ドキュメント１０の本文１０１〜１０６が縦向き印刷となるため、印刷向き表示部１０３８に、縦向きの「縦」が表示される。図１２は、このときの１６−Ｕｐ印刷のレイアウトを説明するための説明図であり、印刷データ生成部１０１５ａによってファイル出力され、画像形成装置１００２で記録用紙に印刷される印刷画面に相当する。同図に示すように、１６−Ｕｐ印刷では、１ページの記録用紙に対して、ドキュメント１０の本文１０１〜１０６を所定量圧縮して１６ページ分ずつ（ここでは６ページ分のみ）縦向き印刷する。
【００４６】
一方、表紙は、縦向きに形成された表紙１００（図５）をそのまま印刷すると、縦向きに１６−Ｕｐ印刷された本文に対応する出力画面２０１〜２０６と印刷向きが一致する。このため、コントロール部１０１５は、ドキュメント１０の表紙１００の向き及び尺度を変えない出力画面２００（図１２）となる印刷データを作成する。本実施の形態では、９−Ｕｐとしたときの本文１０１〜１０６の縮尺は上式（１）の演算により約２５パーセントとした。
【００４７】
次に、図１３に示すように、ページの向きが横向きに形成されたドキュメント３０を集約印刷する場合について説明する。
【００４８】
２−Ｕｐの場合、図４において、ドキュメント３０（図１３）のマルチページ指定部１０３４において２−ＵＰを指定し、表紙除外指定部１０３５において表紙に対しては集約しないようにチェックを付す。この２−Ｕｐ印刷では、ドキュメント３０の本文３０１〜３０６が縦向き印刷となるため、印刷向き表示部１０３８に、縦向きの「縦」が表示される。図１４は、このときの２−Ｕｐ印刷のレイアウトを説明するための説明図であり、印刷データ生成部１０１５ａによってファイル出力され、画像形成装置１００２で記録用紙に印刷される印刷画面に相当する。同図に示すように、２−Ｕｐ印刷では、１ページの記録用紙に対して、ドキュメント３０の本文３０１〜３０６を所定量圧縮して２ページ分ずつ縦向き印刷する。
【００４９】
一方、表紙は、横向きに形成された表紙３００（図１３）をそのまま印刷すると、縦向きに２−Ｕｐ印刷された本文に対応する出力画面４０１〜４０６と印刷向きが９０°異なることになる。このため、コントロール部１０１５は、ドキュメント３０の表紙３００の向きを９０度回転させ、印刷向きを横方向から縦方向へとする。このとき、表紙３００の長辺が、用紙サイズ指定部１０３２で指定された出力先としての記録用紙（ここではＡ４）の短辺に収まるように縮小した出力画面４００となる印刷データを作成する。本実施の形態では、表紙３００の印刷データの縮尺を約７０パーセントとした。また、２−Ｕｐとしたときの本文３０１〜３０６の縮尺は上式（１）の演算により約７０パーセントとした。
【００５０】
４−Ｕｐの場合、図４において、ドキュメント３０（図１３）のマルチページ指定部１０３４において４−ＵＰを指定し、表紙除外指定部１０３５において表紙に対しては集約しないようにチェックを付す。この４−Ｕｐ印刷では、ドキュメント３０の本文３０１〜３０６が横向き印刷となるため、印刷向き表示部１０３８に、横向きの「横」が表示される。図１５は、このときの４−Ｕｐ印刷のレイアウトを説明するための説明図であり、印刷データ生成部１０１５ａによってファイル出力され、画像形成装置１００２で記録用紙に印刷される印刷画面に相当する。同図に示すように、４−Ｕｐ印刷では、１ページの記録用紙に対して、ドキュメント３０の本文３０１〜３０６を所定量圧縮して４ページ分ずつ（ここでは４ページ分と２ページ分に分けられる）横向き印刷する。
【００５１】
一方、表紙は、横向きに形成された表紙３００（図１３）をそのまま印刷すると、横向きに４−Ｕｐ印刷された本文に対応する出力画面４０１〜４０６と印刷向きが一致する。このため、コントロール部１０１５は、ドキュメント３０の表紙３００の向き及び尺度を変更しない出力画面４００（図１５）となる印刷データを作成する。本実施の形態では、４−Ｕｐとしたときの本文３０１〜３０６の縮尺は上式（１）の演算により約５０パーセントとした。
【００５２】
６−Ｕｐの場合、図４において、ドキュメント３０（図１３）のマルチページ指定部１０３４において６−ＵＰを指定し、表紙除外指定部１０３５において表紙に対しては集約しないようにチェックを付す。この６−Ｕｐ印刷では、ドキュメント３０の本文３０１〜３０６が縦向き印刷となるため、印刷向き表示部１０３８に、縦向きの「縦」が表示される。図１６は、このときの６−Ｕｐ印刷のレイアウトを説明するための説明図であり、印刷データ生成部１０１５ａによってファイル出力され、画像形成装置１００２で記録用紙に印刷される印刷画面に相当する。同図に示すように、６−Ｕｐ印刷では、１ページの記録用紙に対して、ドキュメント３０の本文３０１〜３０６を所定量圧縮して６ページ分ずつ縦向き印刷する。
【００５３】
一方、表紙は、横向きに形成された表紙３００（図１３）をそのまま印刷すると、縦向きに６−Ｕｐ印刷された本文に対応する出力画面４０１〜４０６と印刷向きが９０°異なることになる。このため、コントロール部１０１５は、ドキュメント３０の表紙３００の向きを９０度回転させ、印刷向きを横方向から縦方向へとする。このとき、表紙３００の長辺が、用紙サイズ指定部１０３２で指定された記録用紙（ここではＡ４）の短辺に収まるように縮小した出力画面４００となる印刷データを作成する。本実施の形態では、表紙３００の印刷データの縮尺を約７０パーセントとした。また、６−Ｕｐとしたときの本文３０１〜３０６の縮尺は上式（１）の演算により約３５パーセントとした。
【００５４】
８−Ｕｐの場合、図４において、ドキュメント３０（図１３）のマルチページ指定部１０３４において８−ＵＰを指定し、表紙除外指定部１０３５において表紙に対しては集約しないようにチェックを付す。この８−Ｕｐ印刷では、ドキュメント３０の本文３０１〜３０６が縦向き印刷となるため、印刷向き表示部１０３８に、縦向きの「縦」が表示される。図１７は、このときの８−Ｕｐ印刷のレイアウトを説明するための説明図であり、印刷データ生成部１０１５ａによってファイル出力され、画像形成装置１００２で記録用紙に印刷される印刷画面に相当する。同図に示すように、８−Ｕｐ印刷では、１ページの記録用紙に対して、ドキュメント３０の本文３０１〜３０６を所定量圧縮して８ページ分ずつ縦向き印刷する。
【００５５】
一方、表紙は、横向きに形成された表紙３００（図１３）をそのまま印刷すると、縦向きに８−Ｕｐ印刷された本文に対応する出力画面４０１〜４０６と印刷向きが９０°異なることになる。このため、コントロール部１０１５は、ドキュメント３０の表紙３００の向きを９０度回転させ、印刷向きを横方向から縦方向へとする。このとき、表紙３００の長辺が、用紙サイズ指定部１０３２で指定された記録用紙（ここではＡ４）の短辺に収まるように縮小した出力画面４００となる印刷データを作成する。本実施の形態では、表紙３００の印刷データの縮尺を約７０パーセントとした。また、８−Ｕｐとしたときの本文３０１〜３０６の縮尺は上式（１）の演算により約３５パーセントとした。
【００５６】
９−Ｕｐの場合、図４において、ドキュメント３０（図１３）のマルチページ指定部１０３４において９−ＵＰを指定し、表紙除外指定部１０３５において表紙に対しては集約しないようにチェックを付す。この９−Ｕｐ印刷では、ドキュメント３０の本文３０１〜３０６が横向き印刷となるため、印刷向き表示部１０３８に、横向きの「横」が表示される。図１８は、このときの９−Ｕｐ印刷のレイアウトを説明するための説明図であり、印刷データ生成部１０１５ａによってファイル出力され、画像形成装置１００２で記録用紙に印刷される印刷画面に相当する。同図に示すように、９−Ｕｐ印刷では、１ページの記録用紙に対して、ドキュメント３０の本文３０１〜３０６を所定量圧縮して９ページ分ずつ（ここでは６ページのみ）横向き印刷する。
【００５７】
一方、表紙は、横向きに形成された表紙３００（図１３）をそのまま印刷すると、横向きに９−Ｕｐ印刷された本文に対応する出力画面４０１〜４０６と印刷向きが一致する。このため、コントロール部１０１５は、ドキュメント３０の表紙３００の向き及び尺度を変更しない出力画面４００（図１８）となる印刷データを作成する。本実施の形態では、９−Ｕｐとしたときの本文３０１〜３０６の縮尺は上式（１）の演算により約３３パーセントとした。
【００５８】
１６−Ｕｐの場合、図４において、ドキュメント３０（図１３）のマルチページ指定部１０３４において１６−ＵＰを指定し、表紙除外指定部１０３５において表紙に対しては集約しないようにチェックを付す。この１６−Ｕｐ印刷では、ドキュメント３０の本文３０１〜３０６が横向き印刷となるため、印刷向き表示部１０３８に、横向きの「横」が表示される。図１９は、このときの１６−Ｕｐ印刷のレイアウトを説明するための説明図であり、印刷データ生成部１０１５ａによってファイル出力され、画像形成装置１００２で記録用紙に印刷される印刷画面に相当する。同図に示すように、１６−Ｕｐ印刷では、１ページの記録用紙に対して、ドキュメント３０の本文３０１〜３０６を所定量圧縮して１６ページ分ずつ（ここでは６ページのみ）横向き印刷する。
【００５９】
一方、表紙は、横向きに形成された表紙３００（図１３）をそのまま印刷すると、横向きに１６−Ｕｐ印刷された本文に対応する出力画面４０１〜４０６と印刷向きが一致する。このため、コントロール部１０１５は、ドキュメント３０の表紙３００の向き及び尺度を変更しない出力画面４００（図１９）となる印刷データを作成する。本実施の形態では、１６−Ｕｐとしたときの本文３０１〜３０６の縮尺は上式（１）の演算により約２５パーセントとした。
【００６０】
尚、前記した式（１）は、上記した１−Ｕｐ〜１６−Ｕｐまでの集約例を考慮して、集約時に最適の縮尺を行うように設定したものである。
【００６１】
以上のような集約（Ｎ−Ｕｐ）を行うため、本実施の形態の画像処理装置（ＰＣ１００１）は、以下の特徴を備える。
・ドキュメントの特定ページ（ここでは表紙ページ）を集約印刷の対象から除くことが可能。
・集約印刷の対象から外した特定ページ（ここでは表紙ページ）の印刷向きと集約印刷されたページ（ここでは本文）の印刷向きとが、Ｕｐ数Ｎによらず常に一致する。
・２−ＵＰよりも集約数Ｎが大きくなるように（本実施の形態では４−ＵＰ以上）集約する場合、特定ページ（ここでは表紙ページ）は、向き変えのために縮小する場合でも、集約したページより縮小率を抑制できる。本実施の形態では約７０パーセントとした。
【００６２】
以上のように、本実施の形態の画像処理方法によれば、集約印刷（マルチページ印刷）を行う場合、表紙を、集約印刷の対象から外して必要以上に縮小することなく、集約したページの印刷向きにそろえて個別のページに印刷することができるため、集約印刷を行った場合においても、縮小のため或いは印刷向きが異なることにより、表紙が見づらくなるのを低減できる。
【００６３】
実施の形態２．
図２１は、本発明に基づく実施の形態２の画像処理装置としてのＰＣが表示部に表示するユーザインターフェース２０１１ｕの一例を示す表示画面である。本実施の形態のＰＣが前記した実施の形態１のＰＣ１００１（図１）と主に異なる点は、コントロール部（図１のコントロール部１０１５に対応）の処理内容にセンタリング処理が追加された点である。従って本実施の形態のＰＣが前記した実施の形態１のＰＣ１００１と共通する部分についての記述は省略し、主に異なる点を重点的に説明する。
【００６４】
図２１に示すように、このユーザインターフェース２０１１ｕには、用紙サイズを選択する用紙サイズ指定部１０３２、給紙箇所を指定する給紙指定部１０３３、集約時のレイアウトを決めるＵｐ数Ｎを指定するマルチページ指定部１０３４、Ｎ−Ｕｐ集約のとき、表紙を集約から除外するか否かを指定する表紙除外指定部１０３５、表紙を集約から除外したとき、ページ中の表紙画面の位置を調整するか否を指定する表示位置指定部２０１０、両面印刷を指定する両面印刷指定部１０３６、及びカラー印刷かモノクロ印刷かを選択するカラー印刷指定部１０３７等を備える。
【００６５】
プレビュー表示部１０３１は、指定部１０３４〜１０３７、２０１０によって指定された設定値に基づく印刷の簡易イメージを表示し、印刷向き表示部１０３８は、ユーザーが指定するＵｐ数に応じて、自動的に「縦」或いは「横」が表示される。
【００６６】
図２３は、ユーザーによる印刷設定を受けて、本実施の形態のコントロール部が行う集約処理の流れを示すフローチャートであり、このフローチャートを参照しながら、その処理内容について以下に説明する。尚、ステップＳ２０１〜ステップＳ２０６及びステップＳ２０９の処理は、前記した実施の形態１の図７のフローチャートで説明したステップＳ１０１〜ステップＳ１０６及びステップＳ２０７と全く同じなのでここでは要部のみを説明する。
【００６７】
表紙を集約印刷の対象としていない場合（ステップＳ２０３、Ｙｅｓ）、印刷を行うドキュメントのページの向きとマルチページ指定部１０３４で指定したＵｐ数とから、印刷時の印刷向きを確定して図２４に示すダイアログの印刷向き表示部１０３８の欄に表示する（ステップＳ２０５）。表紙の文字を回転させる必要のない場合（ステップＳ２０５、Ｎｏ）、縮小せずに１枚１ページの印刷データとして表紙の印刷データを作成する（ステップＳ２０９）。一方、表紙を回転させる必要がある場合（ステップＳ２０５、Ｙｅｓ）、表紙を回転させ、前記したようにページの長辺が記録用紙の短編に収まるように縮小する（ステップＳ２０６）。
【００６８】
ステップＳ２０６で表紙を縮小した場合は、位置調整の指定があるか否かを確認する（ステップＳ２０７）。ユーザーは、位置調整に関する指定を行う場合、図２１に示すダイアログの表示位置指定部２０１０を操作し、指定する場合にはそのチェックボックスにチェックを付す。図２１ではチェックボックスがチェックされ、位置調整を行う場合の例を示している。
【００６９】
位置調整が指示されていない場合（ステップＳ２０７、Ｎｏ）、例えば図１０に示すように、表紙の出力画面２００（点線で囲んだ部分）が、原点を基準座標として位置決めされた、１枚１ページの印刷データとして表紙を作成する（ステップＳ２０９）。一方、位置調整が指示されている場合（ステップＳ２０７、Ｙｅｓ）、図２２に示すように、表紙の出力画面２００（点線で囲んだ部分）が、記録用紙の長辺の長さと縮小した出力画面２００の短辺の長さとから、縮小した出力画面２００がページの中央部にセンタリングされるように移動量を決定し（ステップＳ２０８）、基準座標を変更した１枚１ページの印刷データとして表紙を作成する（ステップＳ２０９）。
【００７０】
ＰＣは、ドキュメントに対する全ての印刷データの作成が完了すると、これらの一連の印刷データを１つのファイルデータとして、通信部１０１４（図１参照）を通じて画像形成装置１００２に送信し、画像形成装置１００２では、通信部１０２２を通じてファイルデータを受信し、ユーザーによって指定されたレイアウトでの集約印刷を実行する。
【００７１】
尚、本実施の形態では、位置調整の指示方法としてチェックボックスを例にしているが、コンボボックスなどを利用して、右／中央／左のように複数の選択肢を設けたり、或いはエディットボックスを用いて、数値で指示させることも可能である。
【００７２】
以上のように、本実施の形態の画像処理方法によれば、集約印刷（マルチページ印刷）を行う場合、表紙を、集約印刷の対象から外して必要以上に縮小することなく、集約したページの印刷向きにそろえて個別のページに印刷することができるため、集約印刷を行った場合においても、縮小のため或いは印刷向きが異なることにより、表紙が見づらくなるのを低減できる。更に、縮小した場合には、縮小した印刷データをページの所望位置に移動することにより、見栄えの良い表紙を得ることが可能となる。
【００７３】
実施の形態３．  
図２４は、本発明に基づく実施の形態３の画像処理装置としてのＰＣが表示部（図１の表示部１０１２に相当）に表示するユーザインターフェース３０１１ｕの一例を示す表示画面であり、図２５は、本実施の形態でＮ−Ｕｐ集約を行う、表紙、章を表示するページ、及び本文とから構成される全７ページのドキュメント５０の構成例を示す。
【００７４】
本実施の形態のＰＣが前記した実施の形態２のＰＣと主に異なる点は、コントロール部（図１のコントロール部１０１５に対応）の処理内容に、表紙と共に章を表示するページを集約の対象から外す処理が追加された点である。従って本実施の形態のＰＣが、前記した実施の形態１及び２で記述したＰＣと共通する部分についての記述は省略し、主に異なる点を重点的に説明する。
【００７５】
図２４に示すように、このユーザインターフェース３０１１ｕには、用紙サイズを選択する用紙サイズ指定部１０３２、給紙箇所を指定する給紙指定部１０３３、集約時のレイアウトを決めるＵｐ数Ｎを指定するマルチページ指定部１０３４、Ｎ−Ｕｐ集約のとき、表紙を集約から除外するか否かを指定する表紙除外指定部１０３５、Ｎ−Ｕｐ集約のとき、章を表示するページを集約から除外するか否かを指定する章表示面除外指定部３０１２、表紙及び章表示ページを集約の対象から除外したとき、ページ中の表紙や章表示ページの画面の位置を調整するか否を指定する表示位置指定部２０１０、両面印刷を指定する両面印刷指定部１０３６、及びカラー印刷かモノクロ印刷かを選択するカラー印刷指定部１０３７等を備える。
【００７６】
ユーザーは、集約印刷の対象となるドキュメント５０（図２５）の内、表紙５００及び章を表示するページ５０１，５０４を集約から除き、本文５０２，５０３，５０５，５０６のみの集約を所望する場合、図２４に示すダイアログの表紙除外指定部１０３５及び章表示面除外指定部３０１２を操作し、そのチェックボックスをチェック付す。
【００７７】
章表示面除外指定部３０１２がチェックされた場合、制御部としてのコントロール部（図１のコントロール部１０１５に対応）は、ユーザーが、集約から除く「章を表示するページ」を選択できるように、ドキュメント５０（図２５）と共に、各ページに対応してチェックボックスを配置した、図２５に示すような選択画面を表示部に表示する。
【００７８】
ユーザーが、この表示画面を見ながら、対応するチェックボックスにチェックを付すことによって所望するページを選択すると、選択されたページを集約の対象から除外する。尚、図２４に示すダイアログの表紙除外指定部１０３５がチェックされている場合、図２５の選択画面においては、表紙に対応するチェックボックスには自動的にチェックが付されるものである。
【００７９】
以上のようにして、集約の対象から除いた特定のページ（ここでは、表紙５００及び章を表示するページ５０１，５０４）が選択されて印刷設定されると、コントロール部は、例えば実施の形態２で説明した図２３に示すフローチャートと同様の処理により印刷データを作成する。但し、ここでは、ステップＳ２０２，２０３において、処理するページが上記した特定ページであった場合（ステップＳ２０２、Ｙｅｓ）、この特定ページが集約印刷の対象となっているかを確認する（ステップＳ２０３）。
【００８０】
図２６は、このときの集約印刷のレイアウトを説明するための説明図である。ここでは、マルチページ指定部１０３４において２−Ｕｐが選択され、表示位置指定部２０１０でセンタリングが選択されているため、図２６に示すように、１ページに、ドキュメント５０の本文５０２，５０３，５０５，５０６を所定量圧縮して２ページ分ずつ横向き印刷する。
【００８１】
一方、特定ページ（ここでは、表紙５００及び章を表示するページ５０１，５０４）は、縦向きに形成された、特定ページをそのまま印刷すると、横向きに２−Ｕｐ印刷された本文に対応する出力画面６０２，６０３，６０５，６０６と印刷向きが９０°異なることになる。このため、コントロール部は、特定ページの向きを９０度回転させ、印刷向きを縦方向から横方向へとする。このとき、特定ページの長辺が、用紙サイズ指定部１０３２で指定された記録用紙（ここではＡ４）の短辺に収まるように縮小した特定ページの出力画面６００，６０１，６０４を作成する。本実施の形態では、これら特定ページの印刷データの縮尺を約７０パーセントとした。また、２−Ｕｐとしたときのドキュメントの本文の縮尺は上式（１）の演算により約７０パーセントとした。更に、ここではセンタリングが選択されているため、縮小した特定ページの出力画面６００，６０１，６０４（点線で囲んだ部分）が、記録用紙の中央に揃えられる。
【００８２】
尚、前記した実施の形態１〜３では、本発明に係る機能であるコントロール部１０１５、プログラム１０１１ａ等をＰＣ１００１側に持たせることとして説明したが、これに限定されるものではなく、本発明に係る思想を実現するために画像形成装置１００２側にその一部又は全部の機能をもたせるように画像処理システム又は画像形成装置として構成しても良い。
【００８３】
また、前記した実施の形態１〜３では、ドキュメント１０を画像形成装置１００２によって記録用紙に印刷出力する場合の例について説明したが、これに限定されるものではなく、例えば、あるファイル形式で作成されたドキュメント１０を別のファイル形式として変換して電子出力し、記憶部１０１１にデータ１０１１ｄとして保存するように構成してもよく、この場合も同様の効果が得られるものである。
【００８４】
以上のように、本実施の形態の画像処理方法によれば、集約印刷（マルチページ印刷）を行う場合、所望の特定ページを、集約印刷の対象から外して必要以上に縮小することなく、集約したページの印刷向きにそろえて個別のページに印刷することができるため、集約印刷を行った場合においても、縮小のため或いは印刷向きが異なることにより、例えば特定ページとして選択される表紙及び章を表示するページ等が、見づらくなるのを低減できる。更に、縮小した場合には、縮小した印刷データをセンタリングすることにより、見栄えの良い表紙を得ることが可能となる。
【産業上の利用可能性】
【００８５】
上記した各実施の形態では、画像形成装置とＰＣを例に説明したが、マルチファンクションプリンタ（ＭＦＰ）のように、画像形成装置に付属した入力装置から直接印刷指示を行い、スキャナ機器から表紙と本文を読み込んで集約印刷を行うことも可能である。
【符号の説明】
【００８６】
１０  ドキュメント、  １００１  ＰＣ、  １００２  画像形成装置、  １０１１  記憶部、  １０１１ａ  プリンタドライバ、  １０１１ｄ  データ、  １０１１ｕ  ユーザインターフェース、  １０１２  表示部、  １０１３  入力部、  １０１４  通信部、  １０１５  コントロール部、  １０１５ａ  印刷データ生成部、  １０２１  コントロール部、  １０２２  通信部、  １０２３  記憶部、  １０２４  印刷部、  １０３１  プレビュー表示部、  １０３２  用紙サイズ指定部、  １０３３  給紙箇所を指定する給紙指定部、  １０３４  マルチページ指定部、  １０３５  表紙除外指定部、  １０３６  両面印刷指定部、  １０３７  カラー印刷指定部、  １０３８  印刷向き表示部、  １２０１  ＬＡＮケーブル、  ２０１０  表示位置指定部、  ２０１１ｕ  ユーザインターフェース、  ３０１１ｕ  ユーザインターフェース、  ３０１２  章表示面除外指定部。
【図１】
2014064253.tif 000003
【図２】
2014064253.tif 000004
【図３】
2014064253.tif 000005
【図４】
2014064253.tif 000006
【図５】
2014064253.tif 000007
【図６】
2014064253.tif 000008
【図７】
2014064253.tif 000009
【図８】
2014064253.tif 000010
【図９】
2014064253.tif 000011
【図１０】
2014064253.tif 000012
【図１１】
2014064253.tif 000013
【図１２】
2014064253.tif 000014
【図１３】
2014064253.tif 000015
【図１４】
2014064253.tif 000016
【図１５】
2014064253.tif 000017
【図１６】
2014064253.tif 000018
【図１７】
2014064253.tif 000019
【図１８】
2014064253.tif 000020
【図１９】
2014064253.tif 000021
【図２０】
2014064253.tif 000022
【図２１】
2014064253.tif 000023
【図２２】
2014064253.tif 000024
【図２３】
2014064253.tif 000025
【図２４】
2014064253.tif 000026
【図２５】
2014064253.tif 000027
【図２６】
2014064253.tif 000028